(57)【特許請求の範囲】
【請求項１】
複数のコンテンツをそれぞれ所定時間ずつ順次表示する表示端末であって、
上記コンテンツの構成に応じて、コンテンツを表示するための描画準備期間をコンテンツごとに算出する準備期間算出部、
この準備期間算出部によって算出されたコンテンツの上記描画準備期間が、上記所定時間を超える場合には、上記所定時間以下になるように、当該描画準備期間の一部を他のコンテンツの描画準備期間に割り振り、描画準備処理のスケジュールを生成するスケジュール管理部、
このスケジュール管理部により生成された上記スケジュールにしたがって上記描画準備処理を実行するスケジュール実行部、
及びこのスケジュール実行部により描画準備処理された上記コンテンツを上記所定時間、表示する表示処理部を備えたことを特徴とする表示端末。
【請求項２】
上記準備期間算出部は、上記コンテンツの構成部分ごとの表示面積と、上記構成部分に応じた重み付けとを用いて、上記描画準備期間を算出することを特徴とする請求項１記載の表示端末。
【請求項３】
上記準備期間算出部は、上記コンテンツの構成部分ごとの表示面積と、上記構成部分のファイル形式に応じた重み付けとを用いて、上記描画準備期間を算出することを特徴とする請求項１記載の表示端末。
【発明の詳細な説明】
【技術分野】
【０００１】
この発明は、各番組のコンテンツ表示を、意図したスケジュールで運用する表示端末に関するものである。
【背景技術】
【０００２】
スケジュール運用する表示端末において、従来の描画処理手法としては、各番組のコンテンツ表示において、次に表示すべきコンテンツの準備処理（動画デコード処理、静止画デコード処理、レイアウト準備など）を、表示させるタイミングの一定時間前に実施している。（特許文献１参照）
この準備期間は、表示端末のＣＰＵ性能、メモリ容量にも依存しており、高性能なＣＰＵ、大容量メモリの場合には通常、表示タイミングの２〜３秒前に準備すれば各コンテンツのスケジュール運用に対応することができる。
【先行技術文献】
【特許文献】
【０００３】
【特許文献１】特許第４２４５６３２号公報（第３〜４頁、図２）
【発明の概要】
【発明が解決しようとする課題】
【０００４】
従来のコンテンツ準備手法では、表示端末のＣＰＵ性能、メモリ容量が十分な場合には、問題なくスケジュール運用が可能であるが、低スペックなハードウェア（ＣＰＵ性能：低、メモリ容量：小）においては、一定時間前に準備を実施しようとすると、表示させるコンテンツの素材ボリュームが大きい場合（動画＋複数の静止画＋表示エリア大のテロップなど）、準備期間内にコンテンツの準備処理が完了しないケースが存在し、その結果、コンテンツの表示が、意図したスケジュールで運用されない状況があるという問題がある。
【０００５】
この発明は、上記のような課題を解決するためになされたものであり、低スペックなハードウェア構成であっても、各番組のコンテンツ表示のための描画準備期間を確保することができる表示端末を得ることを目的にする。
【課題を解決するための手段】
【０００６】
この発明に係わる表示端末においては、複数のコンテンツをそれぞれ所定時間ずつ順次表示する表示端末であって、コンテンツの構成に応じて、コンテンツを表示するための描画準備期間をコンテンツごとに算出する準備期間算出部、この準備期間算出部によって算出されたコンテンツの描画準備期間が、所定時間を超える場合には、所定時間以下になるように、当該描画準備期間の一部を他のコンテンツの描画準備期間に割り振り、描画準備処理のスケジュールを生成するスケジュール管理部、このスケジュール管理部により生成されたスケジュールにしたがって描画準備処理を実行するスケジュール実行部、及びこのスケジュール実行部により描画準備処理されたコンテンツを所定時間、表示する表示処理部を備えたものである。
【発明の効果】
【０００７】
この発明によれば、複数のコンテンツをそれぞれ所定時間ずつ順次表示する表示端末であって、コンテンツの構成に応じて、コンテンツを表示するための描画準備期間をコンテンツごとに算出する準備期間算出部、この準備期間算出部によって算出されたコンテンツの描画準備期間が、所定時間を超える場合には、所定時間以下になるように、当該描画準備期間の一部を他のコンテンツの描画準備期間に割り振り、描画準備処理のスケジュールを生成するスケジュール管理部、このスケジュール管理部により生成されたスケジュールにしたがって描画準備処理を実行するスケジュール実行部、及びこのスケジュール実行部により描画準備処理されたコンテンツを所定時間、表示する表示処理部を備えたので、低スペックなハードウェア構成であっても、各コンテンツを所定時間表示するための描画準備期間を確保することができる。 
【図面の簡単な説明】
【０００８】
【図１】この発明の実施の形態１による表示端末を含む表示システムを示す全体図である。
【図２】この発明の実施の形態１による表示端末のソフトウェア構成を示す構成図である。
【図３】この発明の実施の形態１による表示端末の準備期間算出方法を示す図である。
【図４】この発明の実施の形態１による表示端末の処理運用スケジュール方法を示す図である。
【図５】この発明の実施の形態１による表示端末のコンテンツ表示状態を示す図である。
【図６】この発明の実施の形態２による表示端末の準備期間算出方法を示す図である。
【発明を実施するための形態】
【０００９】
実施の形態１．
図１は、この発明の実施の形態１による表示端末を含む表示システムを示す全体図である。
図１において、低性能ＰＣである表示端末１は、センター側のサーバー２から、コンテンツ及び番組のスケジュールリストを受け取り、スケジュールにしたがって、描画準備をした上で、順次コンテンツを表示する。
【００１０】
図２は、この発明の実施の形態１による表示端末のソフトウェア構成を示す構成図である。
図２において、表示端末のソフトウェア構成は、次のようになっている。
準備期間算出部１１は、各コンテンツ２０について、動画デコード処理、静止画デコード処理やレイアウト準備などにかかる描画準備期間を算出する。スケジュール管理部１２は、準備期間算出部１１によって算出された描画準備期間に基づいて、コンテンツ準備処理方法を選定する。スケジュール実行部１３は、スケジュール管理部１２によって選定されたコンテンツ準備処理方法のスケジュールに基づき、描画準備処理を実行する。表示処理部１４は、実際のコンテンツの表示処理を行う。
【００１１】
図３は、この発明の実施の形態１による表示端末の準備期間算出方法を示す図である。
図３において、準備期間算出部１１は、描画準備期間を、動画表示面積と、静止画表示面積と、テロップ表示面積とにそれぞれ重み付け値を乗じて算出する。図３では、コンテンツＡとコンテンツＢを例にして算出している。
【００１２】
図４は、この発明の実施の形態１による表示端末の処理運用スケジュール方法を示す図である。
図４（ａ）は描画準備期間の算出結果を示す図、図４（ｂ）は図４（ａ）に基づくスケジュール管理部１２による準備期間設定結果を示す図である。図４（ａ）のコンテンツＤ準備間１８秒を、図４（ｂ）では、他のコンテンツ準備期間に割り振っている。
【００１３】
図５は、この発明の実施の形態１による表示端末のコンテンツ表示状態を示す図である。
図５において、低性能ＰＣ１により、１５秒（所定時間）間隔での運用（１５秒のコン
テンツの表示）を考慮した場合のものである。
図５（ａ）は、従来の処理方法による、低性能のパソコンを用いた１５秒間隔での運用を考慮した場合のコンテンツ表示状態を示す図で、コンテンツ表示期間が２０秒、１０秒、３０秒と乱れている。図５（ｂ）は、本発明の実施の形態１によるコンテンツ表示状態を示す図であり、コンテンツ表示期間は、いずれも１５秒になっている。図５（ｂ）では、図４（ｂ）の描画準備期間により描画準備処理を行う。
【００１４】
次に、このように構成された表示端末のソフトウェアアルゴリズムについて説明する。
まず、表示端末１は、センター側のサーバー２よりコンテンツ２０ならびに番組のスケジュールリストを受け取り、準備期間算出部１１において、受け取った際にコンテンツ２０を構成する素材から描画準備期間を算出する。
図３に示すように、この時の算出方法の一例としては、素材として利用されている動画、静止画、テロップなどについてそれぞれの表示面積に応じてα、β、γ等の重み付けをした値を乗じて、それらを足し合わせた値（動画表示面積×α＋静止画表示面積×β＋テロップ表示面積×γ）を描画準備期間として設定するものとする。
【００１５】
次に、図４に示すように、準備期間算出部１１により設定された描画準備期間に基づいて、スケジュール管理部１２が、各コンテンツ２０が予め決められた間隔で表示されるタイミングの何秒前から準備を開始するかの設定を実施する。
この場合、描画準備期間が不足しているコンテンツ（図４のコンテンツＤ）に対しては、他の描画準備期間に余裕のあるコンテンツの描画準備期間に分割して処理を実施するように設定し、図４（ｂ）のような、全コンテンツの描画準備の処理運用スケジュール表を作成する。
【００１６】
それにより各コンテンツについて、図４（ｂ）の処理運用スケジュール表に基づき、スケジュール実行部１３が、指定された時間に描画準備処理を実行し、コンテンツ表示の指定時間になると、表示処理部１４に対してコンテンツ表示処理実行の命令を行うようになっている。
【００１７】
実施の形態１によれば、低スペックなハードウェア構成であっても、各コンテンツを所定時間表示するための描画準備期間を確保することができる。
この場合、描画準備処理に時間の要するコンテンツについては、図５（ｂ）に示すように、前のコンテンツ用の描画準備時間を使って、描画準備時間を確保することができることから、表示スケジュールどおりの確実な運営が可能となる。
また、描画準備期間を短くして、スケジュール運行を実施することで、コンテンツ切り替えの早い（コンテンツ表示期間の短い）番組スケジュール作成も可能となる。
【００１８】
実施の形態２．
図６は、この発明の実施の形態２による表示端末の準備期間算出方法を示す図である。
図６において、準備期間算出部１１は、コンテンツ準備期間の算出に当たって、動画表示面積、静止画表示面積、テロップ表示面積に、ファイル形式に応じた重み付けを実施する。コンテンツＡ、コンテンツＢを例にして算出した例を示している。
【００１９】
実施の形態１においては、描画準備期間として動画表示面積×α＋静止画表示面積×β＋テロップ表示面積×γといった描画準備期間の算出方法を示したが、実施の形態２は、図６に示すように、動画、静止画、テロップのファイル形式を各素材のヘッダ情報より読み取り、ファイル形式に応じて、より詳細な重み付けを実施するものとする。
【００２０】
実施の形態２によれば、より詳細な重み付けによる、より正確な描画準備期間の算出が可能になる。
【００２１】
なお、本発明は、その発明の範囲内において、各実施の形態を自由に組み合わせたり、各実施の形態を適宜、変形、省略することが可能である。
【符号の説明】
【００２２】
１  表示端末
２  サーバー
１１  準備期間算出部
１２  スケジュール管理部
１３  スケジュール実行部
１４  表示処理部
２０  コンテンツ
【図１】
0005836746.tif 000002
【図２】
0005836746.tif 000003
【図３】
0005836746.tif 000004
【図４】
0005836746.tif 000005
【図５】
0005836746.tif 000006
【図６】
0005836746.tif 000007